(57)【要約】【課題】透明で薄い樹脂膜で作ったチューブを用いて土壌サンプルを収容できるようにし、容器コストの上昇を防ぐものである。【解決手段】基部に連結部１２を具えると共に先端から内部に設けた空室１５の基部両側に外部に連通する通気孔２０を有した筒状本体１３と、前記筒状本体と連結する中間筒２４の内部に、先端外周に設けたやや大径で前記中間筒の先端に掛止する掛止鍔部３２に連なり外側に長尺なチューブ４０を圧縮させて装着した装着筒３４の後端に位置させて該チューブの後部にガイド筒４５を固定したインアー筒３０を収容してなるチューブ収容筒２５と、該チューブ収容筒に連結して先端に刃部１８を具えて前記筒状本体１３内に連通する空室１９を設けると共に胴部には直径方向に円孔２２を貫通して設けた先端筒１６とからなるものである。【選択図】  図１
2004332314.tif 000002
【特許請求の範囲】
【請求項１】
基部に連結部（１２）を具えると共に先端から上方内部に設けた空室（１５）の基部両側に外部に連通する通気孔（２０）を有した筒状本体（１３）と、
前記筒状本体と連結する中間筒（２４）の内部に収容するインナー筒（３０）の先端外周に前記中間筒の先端に掛止する掛止鍔部（３２）を設け、該掛止鍔部に連なる装着筒（３４）の後部にガイド筒（４５）を取外可能に連結し、該装着筒（３４）の外側にチューブ（４０）を圧縮させて装着し、該チューブの後部をガイド筒（４５）に固定してなるチューブ収容筒（２５）と、
該中間筒（２４）に連結するため先端に刃部（１８）を具え、内部に前記筒状本体（１３）内に連通する空室（１９）を設けると共に胴部には直径方向に円孔（２２）を貫通して設けた先端筒（１６）とからなることを特徴とする採土器。
【請求項２】
前記チューブ収納筒（２５）は、筒状本体（１３）と先端筒（１６）との間に連結する中間筒（２４）の先端に掛止する掛止鍔部（３２）を先端外周に設けてなり、該掛止鍔部に段部（３３）を介して連続するやや小径な装着筒（３４）を有したインナー筒（３０）の該装着筒の外周に、一端を前記段部（３３）に掛止させた長尺で軟質なチューブ（４０）を長手方向に皺を作りながら圧縮させて皺状に装着し、該装着筒の後方内部に取外可能に連結したガイド筒（４５）の周面に該チューブの他端を輪ゴム（４７）で固定してなることを特徴とする請求項１記載の採土器。
【発明の詳細な説明】
【０００１】
【発明の属する技術分野】
本発明は、土壌中から土壌試料を採取して各種地質検査を行う際に用いる採土器に関するものである。
【０００２】
【従来の技術】
単なる作物のための土壌調査から農薬の浸透状況調査、ひいては土壌環境汚染調査など各種調査を行なうために土壌サンプルを採取して各種検査を行う場合、図８に示すように土壌採取器１を用いている。即ち、上端両側にハンドル２、２を有した支柱３の下端に円筒体４を設け、該円筒体の内部に設けた空室５内に、図７に示すような柔軟で筒状をした透明な樹脂容器６を装着し、下端に刃部７を有した該円筒体４を土壌中に押し込んで、該樹脂容器内に土壌サンプルを採取する。そして、土壌中から引き抜いた円筒体４内から土壌サンプルを収容した該樹脂容器６を取り出し、必要な検査又は測定を行うことができる（例えば、特許文献１参照）。
【０００３】
【特許文献１】
特開２００２−２８６５９３号（第２−４頁、図１）
【０００４】
【発明が解決しようとする課題】
土壌採取器を用いて、例えば土壌環境汚染調査を行なう場合、出来るだけ土壌を撹乱しない状態で採取することが望ましい。このために、円筒状をした透明な樹脂容器６を用いているが、該樹脂容器は比較的高価なために広い範囲の土壌検査を行う場合には、多数の土壌サンプルを必要とするので、数多くの樹脂容器６を使用することになり、必然的に測定コストが高価になるという問題点を有していた。
【０００５】
その上、透明な樹脂容器６は円筒形であるから、多数の樹脂容器を土壌採取地点まで持ち運ぶ場合には嵩張るため、多大の手数と時間と費用とがかかり、さらにまた、この樹脂容器を収容しておくためには広い収容載置スペースが必要になるという種々の問題点を有していた。
【０００６】
本発明は、透明で薄い樹脂膜で作った樹脂袋を用いて土壌サンプルを収容できるようにし、多数の土壌サンプルを必要とする場合に容器コストの上昇を防ぎ、チューブを装着したチューブ収容筒の装着を容易にすることを目的とする。
【０００７】
【課題を解決するための手段】
本発明は、この課題を解決するために、基部に連結部を具えると共に先端から上方内部に設けた空室の基部両側に外部に連通する通気孔を有した筒状本体と、前記筒状本体と連結する中間筒の内部に収容するインナー筒の先端外周に前記中間筒の先端に掛止する掛止鍔部を設け、該掛止鍔部に連なる装着筒の外側にチューブを圧縮させて装着し、該チューブの後部をガイド筒に固定してなるチューブ収容筒と、該中間筒に連結するため先端に刃部を具え、内部に前記筒状本体内に連通する空室を設けると共に胴部には直径方向に円孔を貫通して設けた先端筒とからなるものである。
【０００８】
また、前記チューブ収納筒は、筒状本体と先端筒との間に連結する中間筒の先端に掛止する掛止鍔部を先端外周に設けてなり、該掛止鍔部に段部を介して連結するやや小径な装着筒を有したインナー筒の該装着筒の外周に、一端を前記段部に掛止させた長尺で軟質なチューブを長手方向に皺を作りながら圧縮させて装着し、該装着筒の後方内部に取外可能に連結したガイド筒の周面に該チューブの他端を輪ゴムで固定してある。
【０００９】
上記のように、中間筒の内部にチューブを圧縮して装着したインナー筒を装着してなるチューブ収容筒を、筒状本体と先端に刃部を有する先端筒との間に着脱可能に連結してあるので、該筒状本体を土壌中に打ち込むと、刃部によって円筒状に切り取られた土壌は筒状本体内に侵入し、インナー筒の後部に位置するガイド筒を後退させながら該チューブを引き伸ばし、刃部によって円筒状に切り取られた土壌の外側を被うため、該土壌サンプルを撹乱して土壌組織を破壊することなく収納することが出来る。このチューブは樹脂容器に比して軽量で体積が小さく、且つ、安価であるから多数の土壌サンプルを作る場合にも測定コストを安価にできる利点がある。
【００１０】
【発明の実施の形態】
以下、本発明の実施の形態について説明すると、図６に示す採土器１１は、基部にエンジンを有したハンドブレーカー（原動機付土中打込器）（図示せず）などを連結するために、やや小径な連結部１２を有した筒状本体１３の下端に設けた小径部の外面に雄ねじ部１４を形成し、該雄ねじ部と螺着させる雌ねじ部１７を先端筒１６の上端内面に設けてある。さらに、先端筒１６の下端外周に傾斜部を設けて刃部１８を形成し、先端筒１６の内部に刃部に連なる空室１９を設け、前記筒状本体の内部に設けた樹脂容器６を収容するための空室１５とを連通させてある。
【００１１】
筒状本体１３の上部、即ち、基部両側には該筒状本体内の空室１５と筒状本体の外部とを連通する通気孔２０を夫々斜め状に設け、筒状本体の空室１５内に図７に示すような樹脂容器６を下方から収容して土壌サンプルを採取する。樹脂容器６内に土壌サンプルが収容されたか否かは、通気孔２０から筒状本体の内部を見て確認することができる。この樹脂容器６の下端は土壌が侵入するまで、例えば、先端筒の内部上端などで掛止させたり、また、筒状本体の内面に圧接させたりして落下しないようにしてある。
【００１２】
この筒状本体１３内に土壌サンプルが下方から侵入すると、通気孔２０によって筒状本体内の空室１５と外部とは連通しているため、筒状本体１３内に空気が密封されることなく該通気孔２０から外部に排出するので、該土壌サンプルは筒状本体１３内に収容した樹脂容器６内にスムーズに収容される。樹脂容器６の先端は開口しているが、底部には任意形状をした空気抜孔（図示せず）を設けてあるので、該樹脂容器内に空気が密封されることはない。
【００１３】
次に、本発明の第２の実施形態について説明すると、図６に示した採土器１１の筒状本体１３と先端筒１６との間に、中間筒２４を着脱可能に連結して改良型の第２の採土器２１を形成してある。該中間筒内に収容するインナー筒３０は、図１に示すように、中間筒２４内にほとんど収容できる長さ及び外径に形成してあるが、後記するように先端に設けた掛止鍔部３２は該中間筒２４の先端に掛止できる外径に形成してある。
【００１４】
金属製のインナー筒３０は、先端部分にやや大径な掛止鍔部３２を有した先端肉厚部３１の後部側に連続して設けた段部３３を介してやや小径、即ち、チューブの外径と略同径に形成した装着筒３４を設けてある（図３）。チューブ４０は、図４に示すように、軟質であって薄いポリエチレンなどの樹脂膜からなり、５０〜１００ｃｍ程度の長さを有していて、インナー筒３０の後部側から挿着させる。先端を前記段部３３に当接させて装着筒３４の外側に装着させた該チューブ４０は、後方側から中心に孔部６１を有した収納リング６０を用いて皺を作りつつ長手方向に圧縮させて短い装着筒３４の外周に装着してある。このチューブを外周に装着させたインナー筒３０は、中間筒２４の内部に装着してチューブ収容筒２５を設けてある（図１）。
【００１５】
このチューブ４０の後端内部には、図２に示すように、該チューブの後端をガイド筒４５の外周に装着し、該ガイド筒４５の周面に設けた凹入部４５ａに輪ゴム４６で固定し、チューブ４０、ガイド筒４５をインナー筒３０にセットした状態で、中間筒２４内に収容する。そのため、インナー筒３０の取り扱いが容易となる。
【００１６】
次に、インナー筒３０の装着筒３４の外周に長尺なチューブ４０を装着する場合の補助具５０について説明すると、インナー筒の３０より大径な台板５１の中央には外面に雄ねじ部５３を有した突出部５２に設け、該突出部５２の外周にインナー筒３０の先端を緩挿通させ、ついで、インナー筒３０の装着筒３４内に挿入させる内筒部５５の下端（図面上、左端）内面に設けた雌ねじ部５６に前記突出部５２を螺合させると、該内筒部の後端に設けた掛止部５７と前記台板５１との間にインナー筒３０を保持し、該掛止部５７に連らなってチューブ４０を挿入しやすくするための先細部５８を設けてある（図４）。
【００１７】
そのため、台板５１を机などの上に置いてこの補助具５０の上方、即ち、先細部５８側からチューブ４０を挿入させると、チューブは先細部５８からインナー筒３０の装着筒３４に長手方向に押圧されながら皺を設けて圧縮させた長いチューブ４０を短い装着筒３４の外周に装着し、手や収納リング６０で下方に圧縮して皺を作りながら長さ方向を縮ませて長いチューブを装着してある。
【００１８】
ついで、先細部５８を先端に設けた内筒部５５を台板の突出部５２から取り外し、台板５１と内筒部の掛止部５７とに掛止するインナー筒３０を分離させ、ついで、チューブ４０の後端内に図２に示したガイド筒４５を挿入して輪ゴム４７で固定する。この補助具５０は使用しなくてもチューブ４０を装着筒３４に取付けることはできるが、この補助具を使用すると便利である。
【００１９】
この先端筒１６が筒状本体１３または中間筒２４に固く螺合してしまった場合には、先端筒１６の胴部に直径状に貫通して設けた円孔２２に鉄棒などを挿通すれば容易に回動させることにより弛めて外すことができるし、又、強く締め付けることもできる。
【００２０】
次に、本実施形態の作用について説明すると、所定の地面に先端筒１６を樹立させた状態で、連結部１２に手動操作用の操作ハンドル（図示せず）やハンドブレーカー（図示せず）を装着し、この筒状本体１３を土壌中に打ち込むと、先端筒１６の存する刃部１８が土壌中に打ち込まれ、円形に切り取られた土壌はそのまま筒状本体１３内に侵入する。この土壌は先端筒１６内の空室１９を通り、さらに、インナー筒３０内を通って筒状本体１３内に侵入する。
【００２１】
インナー筒３０は、先端外周面に設けた掛止鍔部３２が中間筒２３の先端に掛止してあるので移動せず、土壌サンプルはインナー筒３０の後部に設けた装着筒３４内を通って後部に位置するガイド筒４５に当接する。このガイド筒４５は輪ゴムでチューブ４０を装着筒３４の外周に固定してあり、この中間筒２４の先端は、掛止鍔部３２によって中間筒２３の先端部分に固定されているので，該ガイド筒４５は土壌サンプルによって後部側に押し出され、前記装着筒３４の外側に皺状に圧縮されているチューブ４０を引き延ばしながら該ガイド筒を後退し、引き伸ばされたチューブ内に土壌が侵入して周囲をチューブで覆われた土壌サンプルを得ることができる。この場合、チューブの空気はガイド筒４５から外部に排出するので、チューブが破けることはない。
【００２２】
土壌サンプルが所定の長さに達したか否かは筒状本体１３の土壌中への打ち込み深さや、筒状本体の基部に設けた通気候２０から内部を確認することにより判別することができる。そのため、ガイド筒４５は目立つ色，例えば黄色や赤色に着色してあると一層判りやすくて便利である。
【００２３】
所定の長さをした土壌サンプルができたら、先端筒１６を中間筒２４から取り外し、該中間筒の先端に掛止鍔部３２が掛止したインナー筒３０を、筒状本体１３内から取り出せばよい。そして、チューブ４０からガイド筒４５とインナー筒３０を取り外せば、チューブ４０で周面を被われた土壌サンプルを得ることができる。
【００２４】
インナー筒に再び他の新しいチューブ４０を装着すれば、また土壌調査に使用できるし、前もって複数のチューブ４０をそれぞれ装着したインナー筒３０を用意しておけば、多数の土壌サンプルを能率的に得ることができる。このチューブ４０は樹脂容器６に比してコストが安いし，軽量で体積が小さいため取り扱いが便利であるので測定コストの上昇を防ぐことができる。
【００２５】
【発明の効果】
本発明によれば、中間筒の内部に外周に圧縮させて装着したインナー筒を装着したチューブ収容筒を、筒状本体と先端筒との間に連結して土壌に打ち込むことにより周囲をチューブで包まれた土壌サンプルを容易に得ることができる。
このチューブは樹脂容器に比して膜状で軟らかい部材で形成してあるから、使用前にあっては体積が小さくて持ち運びが容易であり、載置収納スペースが小さくてすむので便利である。また安価なチューブで円筒状に切り取った土壌の周囲を包んで土壌サンプルを採取するので土壌組織の破壊を防止でき、水分蒸発を防いで該土壌サンプルの変質を防ぐことができる。さらに、チューブ収容筒を取り外して先端筒と筒状本体とを連結し、内部に樹脂容器を収容して通常の採土器としても使用することが出来る。
【図面の簡単な説明】
【図１】本発明に係る第１の実施の形態を示す要部断面図である。
【図２】チューブ収容筒の断面図である。
【図３】内筒部とインナー筒とガイド筒とを分解させた状態の一部破断した説明図である。
【図４】内筒部とインナー筒と底板とを組み合わせ、該インナー筒の外周に案内部側から収納リングでチューブを圧縮しながら装着させる状態を示す説明図である。
【図５】インナー筒を内部に収容する中間筒を先端筒と筒状本体との間に連結させた採土器の一部破断した正面図である。
【図６】中間筒を取り外して先端筒と筒状本体を直接連結した他の採土器の一部破断した正面図である。
【図７】透明な樹脂容器の斜視図である。
【図８】従来の土壌採取器の正面図である。
【符号の説明】
１２      連結部
１３      筒状本体
１５      空室
１６      先端筒
１８      刃部
１９      空室
２０      通気孔
２１      採土器
２２      円孔
２４      中間筒
２５      チューブ収納筒
３０      インナー筒
３２      掛止鍔部
３４      装着筒
４０      チューブ
４５      ガイド筒
４７      輪ゴム
【図１】
2004332314.tif 000003
【図２】
2004332314.tif 000004
【図３】
2004332314.tif 000005
【図４】
2004332314.tif 000006
【図５】
2004332314.tif 000007
【図６】
2004332314.tif 000008
【図７】
2004332314.tif 000009
【図８】
2004332314.tif 000010